(57)【要約】【課題】  画像データを送信する作業の簡素化を図れる通信装置、通信システム及びコンピュータプログラムを提供する。【解決手段】  入力部４３は、記憶部４２に記憶されている画像データから送信する画像データの指定を入力される画像指定部４３ａと、画像データに含まれる宛先に画像データを送信する指示を入力される返信指示部４３ｅとを備える。送信部４６は、返信指示部４３ｅで指示された際に、画像データに含まれる宛先の情報に基づいて、画像指定部４３ａで指定された画像データを送信する画像返信部４６ｂを備える。【選択図】  図２
2014107681.tif 000002
【特許請求の範囲】
【請求項１】
ユーザに情報を入力される入力部と、
宛先の情報を含む画像データを受信する受信部と、
前記受信部で受信した画像データを記憶する記憶部と、
前記記憶部で記憶されている画像データを送信する送信部と、を備え、
前記入力部は、前記記憶部に記憶されている画像データから送信する画像データの指定を入力される画像指定部と、画像データに含まれる宛先に画像データを送信する指示を入力される返信指示部と、を備え、
前記送信部は、前記返信指示部で指示された際に、画像データに含まれる宛先の情報に基づいて、前記画像指定部で指定された画像データを送信する画像返信部を備える通信装置。
【請求項２】
前記入力部は、画像データを送信する宛先の情報を入力される宛先入力部と、前記宛先入力部に入力された宛先に画像データを送信する指示を入力される転送指示部と、をさらに備え、
前記送信部は、前記転送指示部で指示された際に、前記宛先入力部で入力された宛先の情報に基づいて、前記画像指定部で指定された画像データを送信する画像転送部をさらに備える請求項１に記載の通信装置。
【請求項３】
請求項１又２に記載の通信装置と、
前記通信装置と通信網で接続される通信制御装置と、を備え、
前記通信制御装置は、画像データを受信するデータ受信部と、前記データ受信部で画像データを受信した際に、該画像データに送信先の情報を宛先の情報として書き込む宛先書込部と、前記宛先書込部で宛先の情報を書き込まれた画像データを、前記通信網を経由して前記通信装置に送信するデータ送信部とを備える通信システム。
【請求項４】
前記宛先書込部は、前記データ受信部がファクシミリ信号による画像データを受信した際に、通信キャリアからの情報に基づいて、画像データに宛先の情報を書き込む請求項３に記載の通信システム。
【請求項５】
前記通信制御装置は、宛先の情報を記憶するデータ記憶部をさらに備え、
前記宛先書込部は、前記データ記憶部に記憶される宛先の情報に基づいて、画像データに宛先の情報を書き込む請求項３に記載の通信システム。
【請求項６】
コンピュータに、
宛先の情報を含む画像データを受信することと、
受信した画像データを記憶することと、
記憶されている画像データから送信する画像データの指定と、画像データに含まれる宛先に画像データを送信する指示とが入力された際に、画像データに含まれる宛先の情報に基づいて、指定された画像データを送信することと、
を実行させるコンピュータプログラム。
【発明の詳細な説明】
【技術分野】
【０００１】
本発明は、宛先の情報を含む画像データを受信する通信装置及び該通信装置を備える通信システムに関する。また、本発明は、コンピュータに、宛先の情報を含む画像データを受信することを実行させるコンピュータプログラムに関する。
【背景技術】
【０００２】
従来、通信装置として、画像データに含まれる宛先の情報に基づいて、該画像データを該宛先に送信する通信装置が知られている（例えば、特許文献１）。斯かる通信装置においては、元々の画像データには、宛先の情報が含まれていないため、オーダーシートを解析し、画像データに宛先の情報を書き込むことが必要である。
【０００３】
したがって、オーダーシートに宛先の情報を入力するといった煩雑な作業が必要となる。しかも、オーダーシートの入力に対応した宛先の情報を画像データに書き込むためには、画像データだけでなく、宛先の情報を含む宛先ファイルも必要になる、という不都合があった。
【先行技術文献】
【特許文献】
【０００４】
【特許文献１】特開２００７−２８１５６３号公報
【発明の概要】
【発明が解決しようとする課題】
【０００５】
よって、本発明は、斯かる事情に鑑み、画像データを送信する作業の簡素化を図れる通信装置、通信システム及びコンピュータプログラムを提供することを課題とする。
【課題を解決するための手段】
【０００６】
本発明に係る通信装置は、ユーザに情報を入力される入力部と、宛先の情報を含む画像データを受信する受信部と、前記受信部で受信した画像データを記憶する記憶部と、前記記憶部で記憶されている画像データを送信する送信部と、を備え、前記入力部は、前記記憶部に記憶されている画像データから送信する画像データの指定を入力される画像指定部と、画像データに含まれる宛先に画像データを送信する指示を入力される返信指示部と、を備え、前記送信部は、前記返信指示部で指示された際に、画像データに含まれる宛先の情報に基づいて、前記画像指定部で指定された画像データを送信する画像返信部を備える。
【０００７】
本発明に係る通信装置によれば、受信部が、宛先の情報を含む画像データを受信し、記憶部が、受信部で受信した画像データを記憶する。そして、画像指定部が、ユーザに、記憶部に記憶されている画像データから送信する画像データの指定を入力され、返信指示部が、ユーザに、画像データを送信する指示を入力される。これにより、画像返信部が、画像データに含まれる宛先の情報に基づいて、指定された画像データを送信するため、画像データを送信する作業を簡素化することができる。
【０００８】
また、本発明に係る通信装置においては、前記入力部は、画像データを送信する宛先の情報を入力される宛先入力部と、前記宛先入力部に入力された宛先に画像データを送信する指示を入力される転送指示部と、をさらに備え、前記送信部は、前記転送指示部で指示された際に、前記宛先入力部で入力された宛先の情報に基づいて、前記画像指定部で指定された画像データを送信する画像転送部をさらに備える、という構成でもよい。
【０００９】
斯かる構成によれば、宛先入力部が、ユーザに、画像データを送信する宛先の情報を入力され、転送指示部が、ユーザに、画像データを送信する指示を入力される。これにより、画像転送部が、宛先入力部で入力された宛先の情報に基づいて、指定された画像データを送信する。したがって、画像データに含まれる宛先だけでなく、ユーザに入力された宛先にも、画像データを送信することができ、しかも、画像データに含まれる宛先に送信する際には、画像データを送信する作業を簡素化することができる。
【００１０】
本発明に係る通信システムは、前記通信装置と、前記通信装置と通信網で接続される通信制御装置と、を備え、前記通信制御装置は、画像データを受信するデータ受信部と、前記データ受信部で画像データを受信した際に、該画像データに送信先の情報を宛先の情報として書き込む宛先書込部と、前記宛先書込部で宛先の情報を書き込まれた画像データを、前記通信網を経由して前記通信装置に送信するデータ送信部とを備える。
【００１１】
本発明に係る通信システムによれば、通信装置と通信制御装置とが通信網で接続されている。通信制御装置において、データ受信部が画像データを受信し、宛先書込部が、データ受信部で受信した画像データに送信先の情報を宛先の情報として書き込む。そして、通信制御装置のデータ送信部が、宛先書込部で宛先の情報を書き込まれた画像データを、通信網を経由して通信装置に送信する。
【００１２】
これにより、通信装置が、宛先の情報を含む画像データを受信する。このとき、通信装置のユーザが、該画像データを通信制御装置に送信した送信源を知らない場合もある。しかしながら、画像データに送信源の情報を宛先の情報として書き込まれている場合には、通信装置のユーザは、返信指示部で送信の指示を入力することにより、画像返信部で画像データを送信源に返信できる。
【００１３】
また、本発明に係る通信システムにおいては、前記宛先書込部は、前記データ受信部がファクシミリ信号による画像データを受信した際に、通信キャリアからの情報に基づいて、画像データに宛先の情報を書き込む、という構成でもよい。
【００１４】
斯かる構成によれば、通信制御装置において、データ受信部がファクシミリ信号による画像データを受信した際に、宛先書込部は、通信キャリアからの情報に基づいて、画像データに宛先の情報を書き込む。これにより、画像データの宛先の情報が、送信先からの情報（例えば、送信先が自己の情報を手入力した情報）ではなく、通信キャリアからの情報に基づいて書き込まれているため、画像データに含まれる宛先の情報の信頼性を向上することができる。
【００１５】
また、本発明に係る通信システムにおいては、前記通信制御装置は、宛先の情報を記憶するデータ記憶部をさらに備え、前記宛先書込部は、前記データ記憶部に記憶される宛先の情報に基づいて、画像データに宛先の情報を書き込む、という構成でもよい。
【００１６】
斯かる構成によれば、通信制御装置において、データ記憶部が、宛先の情報を記憶しており、宛先書込部は、データ記憶部に記憶される宛先の情報に基づいて、画像データに宛先の情報を書き込む。これにより、例えば、通信制御装置は、受信した情報（例えば、ファックス番号）から、それに対応しているデータ記憶部の宛先の情報（例えば、名前と電子メールアドレス）を画像データにさらに追加して書き込む。
【００１７】
本発明に係るコンピュータプログラムは、コンピュータに、宛先の情報を含む画像データを受信することと、受信した画像データを記憶することと、記憶されている画像データから送信する画像データの指定と、画像データに含まれる宛先に画像データを送信する指示とが入力された際に、画像データに含まれる宛先の情報に基づいて、指定された画像データを送信することと、を実行させる。
【００１８】
以上の如く、本発明によれば、画像データを送信する作業の簡素化を図れるという優れた効果を奏する。
【図面の簡単な説明】
【００１９】
【図１】図１は、本発明の一実施形態に係る通信システムの全体ブロック図を示す。
【図２】図２は、同実施形態に係る通信装置の全体ブロック図を示す。
【図３】図３は、同実施形態に係る通信装置の概要図を示す。
【図４】図４は、同実施形態に係る通信装置の概要図を示す。
【図５】図５は、同実施形態に係る通信システムにおける通信の説明図を示す。
【図６】図６は、同実施形態に係る通信システムにおける通信の説明図を示す。
【図７】図７は、他の実施形態に係る通信システムにおける通信の説明図を示す。
【発明を実施するための形態】
【００２０】
以下、本発明に係る通信装置、通信システム及びコンピュータプログラムにおける一実施形態について、図１〜図６を参酌して説明する。
【００２１】
図１に示すように、本実施形態に係る通信システム１は、受信した画像データに宛先の情報を書き込む通信制御装置２と、画像データを記憶する例えばストレージサーバ等の記憶装置３と、ユーザに画像データを操作される通信装置４と、各装置２，３，４に接続され、各装置２，３，４間でデータの送受信を可能にする通信網５とを備えている。なお、通信網５は、画像データをファクシミリ送信する第１の送信源Ｘ１と、画像データを電子メール送信する第２の送信源Ｘ２と、通信キャリアＸ３とに接続されている。
【００２２】
通信制御装置２は、画像データを受信するデータ受信部２ａと、通信網５を経由して画像データを各装置３，４に送信するデータ送信部２ｂと、画像データ及び宛先の情報を記憶するデータ記憶部２ｃとを備えている。通信制御装置２は、画像データを受信した際に、該画像データに送信先の情報を宛先の情報として書き込む宛先書込部２ｄを備えている。
【００２３】
本実施形態においては、通信制御装置２は、プリンタ、複写機、スキャナ及びファクシミリ等の機能を有する複合機としている。即ち、通信制御装置２は、原稿を読み取ることで画像データを形成する原稿読取部２ｅと、画像データに基づいて、記録紙に画像を形成する画像形成部２ｆとをさらに備えている。
【００２４】
宛先書込部２ｄは、データ受信部２ａが画像データを受信した際に、送信先の情報（例えば、電子メールアドレス又はファクシミリ番号等）を宛先の情報として、画像データ（例えばヘッダ）に書き込む。ところで、通信制御装置２は、第１の送信源Ｘ１からファクシミリ信号による画像データを受信する際には、第１の送信源Ｘ１と通信キャリアＸ３とからそれぞれ送信元（第１の送信源Ｘ１のファクシミリ番号）の情報を受信する。斯かる場合、宛先書込部２ｄは、通信キャリアＸ３からの情報を優先して、画像データに宛先の情報として書き込む。
【００２５】
通信装置４は、図２に示すように、宛先の情報を含む画像データを受信する受信部４１と、受信部４１で受信した画像データを記憶する記憶部４２と、ユーザに情報を入力される入力部４３とを備えている。通信装置４は、装置全体を制御する制御部４４と、画像データを画面に表示する表示部４５と、記憶部４２で記憶されている画像データを送信する送信部４６とを備えている。本実施形態においては、通信装置４は、携帯端末としている。
【００２６】
記憶部４２は、さまざまな画像データを記憶する画像記憶部４２ａを備えている。記憶部４２は、制御部４４が制御するコンピュータプログラム４２ｂを格納している。なお、記憶部４２は、ユーザに登録された宛先の情報（例えば、名前、電子メールアドレス、電話番号及びファックス番号等）を記憶していてもよい。
【００２７】
入力部４３は、図２〜図４に示すように、ユーザに、記憶部４２に記憶されている画像データから、編集又は送信する画像データの指定を入力される画像指定部４３ａと、ユーザに、画像データの編集の情報を入力される画像編集部４３ｂとを備えている。入力部４３は、ユーザに、画像データを送信する宛先の情報を入力される宛先入力部４３ｃと、ユーザに、宛先入力部４３ｃに入力された宛先に画像データを送信（転送）する指示を入力される転送指示部４３ｄとを備えている。
【００２８】
入力部４３は、ユーザに、画像データに含まれる宛先に画像データを送信（返信）する指示を入力される返信指示部４３ｅを備えている。本明細書において、「送信」は、データを送ること全般を意味し、「返信」は、「送信」のうち、画像データに含まれる宛先にデータを送ることを意味し、「転送」は、「送信」のうち、「返信」を除く送信であって、例えば、宛先入力部４３ｃに入力した宛先にデータを送ることを意味する。
【００２９】
本実施形態において、入力部４３は、タッチパネルとしており、例えば液晶ディスプレイ等である表示部４５の上に重ねて配置されている。タッチパネルは、ユーザの指による入力を検出し、その位置を表す位置データ（座標データ）を制御部４４に出力する。例えば、タッチパネルは、ユーザの指による接触（押圧）を検出するように、静電容量の変化を検出する透明な平板状の静電容量センサから構成されている。
【００３０】
図３及び図４は、入力部４３及び表示部４５の一例である。図３に示すように、表示部４５は、複数の画像データを表示し、画像指定部４３ａは、画像データに対応した位置に位置している。画像指定部４３ａで指定された画像データは、図４に示すように、表示部４５で拡大表示される。このとき、入力部４３は、画像指定部４３ａをタッチパネルから削除し、代わりに、画像データに対応した位置に画像編集部４３ｂを配置する。なお、入力部４３は、テンキー及び操作ボタンを備えていてもよい。
【００３１】
図２に戻り、制御部４４は、入力部４３から出力された位置データに基づいて、入力部４３が指にされた操作を検出する入力検出部４４ａと、入力部４３がユーザにされた操作に基づいて、画像データを編集するデータ編集部４４ｂとを備えている。制御部４４は、画像データ等を表示部４５に表示する状態を制御する表示制御部４４ｃを備えている。
【００３２】
送信部４６は、ユーザに転送指示部４３ｄで転送の指示を入力された際に、宛先入力部４３ｃで入力された宛先の情報に基づいて、画像指定部４３ａで指定された画像データを送信（転送）する画像転送部４６ａを備えている。送信部４６は、ユーザに返信指示部４３ｅで返信の指示を入力された際に、画像データに含まれる宛先の情報に基づいて、画像指定部４３ａで指定された画像データを送信（返信）する画像返信部４６ｂを備えている。
【００３３】
本実施形態に係る通信システム１の構成については以上の通りであり、次に、本実施形態に係る通信システム１を用いた通信について、図５及び図６を参酌して説明する。
【００３４】
＜第１の通信例＞
図５に示すように、第１の送信源Ｘ１は、画像データＤ１０を、ファックス信号にて通信制御装置２へ送信する。画像データＤ１０を受信した通信制御装置２は、第１の送信源Ｘ１と通信キャリアＸ３とからそれぞれ送信元の情報（第１の送信源Ｘ１のファックス番号）Ｄ１１も併せて受信する。このとき、通信制御装置２は、通信キャリアＸ３からの情報を優先して、画像データＤ１０に宛先の情報Ｄ１１を書き込む。
【００３５】
通信制御装置２が、画像データＤ１０及び宛先情報Ｄ１１を含むファイルＦ１０を、電子メールにて通信装置４に送信することにより、通信装置４は、ファイルＦ１０を受信する。なお、本実施形態においては、通信制御装置２は、ファックス信号にてデータを受信した際には、通信装置４を含む所定の装置に自動的に転送する。
【００３６】
そして、ユーザが、画像データＤ１０を編集することにより、通信装置４は、編集後の画像データＤ１２及び宛先情報Ｄ１１を含むファイルＦ１１を記憶する。その後、ユーザが、画像指定部４３ａで当該画像データＤ１２を指定し、返信指示部４３ｅで返信の指示をする。これにより、通信装置４は、当該画像データＤ１２に含まれる宛先情報Ｄ１１に基づいて、指定された画像データＤ１２を送信する。
【００３７】
このとき、通信装置４は、画像データＤ１２に書き込まれた宛先情報Ｄ１１がファックス番号であるため、通信制御装置２を経由して返信すると判断するため、返信の指示とファイル１１を電子メールにて通信制御装置２に転送する。そして、返信の指示とファイル１１を受信した通信制御装置２は、画像データＤ１２に書き込まれた宛先情報Ｄ１１に基づいて、画像データＤ１２をファックス信号にて第１の送信源Ｘ１に返信する。
【００３８】
＜第２の通信例＞
図６に示すように、第２の送信源Ｘ２は、画像データＤ２０を含むファイルＦ２０を、電子メールにて通信制御装置２へ送信する。ファイルＦ２０を受信した通信制御装置２は、画像データＤ２０に宛先の情報（第２の送信源Ｘ２の電子メールアドレス）Ｄ２１を書き込んで、ファイルＦ２１として記憶する。
【００３９】
そして、通信制御装置２が、画像データＤ２０及び宛先情報Ｄ２１を含むファイルＦ２１を、電子メールにて通信装置４に送信することにより、通信装置４は、ファイルＦ２２を受信する。なお、本実施形態においては、通信制御装置２は、電子メールにてデータを受信した際には、通信装置４を含む所定の装置に自動的に転送する。
【００４０】
そして、ユーザが、画像データＤ２０を編集することにより、通信装置４は、編集後の画像データＤ２２及び宛先情報Ｄ２１を含むファイルＦ２２を記憶する。その後、ユーザが、画像指定部４３ａで当該画像データＤ２２を指定し、返信指示部４３ｅで返信の指示をする。これにより、通信装置４は、当該画像データＤ２２に含まれる宛先情報Ｄ２１に基づいて、指定された画像データＤ２２を、電子メールにて第２の送信源Ｘ２に返信する。
【００４１】
以上より、本実施形態に係る通信装置４によれば、受信部４１が、宛先情報Ｄ１１，Ｄ２１を含む画像データＤ１０，Ｄ２０を受信する。そして、画像指定部４３ａが、ユーザに、送信する画像データＤ１２，Ｄ２２の指定を入力され、返信指示部４３ｅが、ユーザに、画像データＤ１２，Ｄ２２を送信する指示を入力される。
【００４２】
これにより、画像返信部４６ｂが、画像データＤ１２，Ｄ２２に含まれる宛先情報Ｄ１１，Ｄ２１に基づいて、指定された画像データＤ１２，Ｄ２２を送信するため、画像データＤ１２，Ｄ２２を送信する作業を簡素化することができる。しかも、宛先の情報を含む宛先ファイル等が存在しなくても、画像データＤ１２，Ｄ２２に含まれる宛先情報Ｄ１１，Ｄ２１に基づいて、指定された画像データＤ１２，Ｄ２２を送信することができる。
【００４３】
また、本実施形態に係る通信装置４によれば、宛先入力部４３ａが、ユーザに、画像データを送信する宛先の情報を入力され、転送指示部４３ｄが、ユーザに、画像データを送信する指示を入力される。これにより、画像転送部４６ａが、宛先入力部４３ａで入力された宛先の情報に基づいて、指定された画像データを送信する。したがって、画像データに含まれる宛先だけでなく、ユーザに入力された宛先にも、画像データを送信することができる。
【００４４】
また、本実施形態に係る通信システム１によれば、通信装置４と通信制御装置２とが通信網５で接続されている。データ受信部２ａが画像データＤ１０，Ｄ２０を受信し、宛先書込部２ｄが、データ受信部２ａで受信した画像データＤ１０，Ｄ２０に送信先の情報を宛先情報Ｄ１１，Ｄ２１として書き込む。そして、データ送信部２ｂが、宛先書込部２ｄで宛先情報Ｄ１１，Ｄ２１を書き込まれた画像データＤ１０，Ｄ２０を、通信網５を経由して通信装置４に送信する。
【００４５】
これにより、通信装置４が、宛先情報Ｄ１１，Ｄ２１を含む画像データＤ１０，Ｄ２０を受信する。このとき、通信装置４のユーザが、該画像データＤ１０，Ｄ２０を通信制御装置２に送信した送信源Ｘ１，Ｘ２を知らない場合もある。しかしながら、画像データＤ１０，Ｄ２０に送信源の情報を宛先情報Ｄ１１，Ｄ２１として書き込まれているため、通信装置４のユーザは、返信指示部４３ｅで返信の指示を入力することにより、画像返信部４６ｂで画像データＤ１２，Ｄ２２を送信源Ｘ１，Ｘ２に返信できる。
【００４６】
また、本実施形態に係る通信システム１によれば、データ受信部２ａがファクシミリ信号による画像データＤ１０を受信した際に、宛先書込部２ｄは、通信キャリアＸ３からの情報に基づいて、画像データＤ１０に宛先情報Ｄ１１を書き込む。これにより、画像データＤ１０の宛先の情報が、送信先（送信源Ｘ１）からの情報（例えば、送信先が自己の情報を手入力した情報）ではなく、通信キャリアＸ３からの情報に基づいて書き込まれているため、画像データＤ１０に含まれる宛先情報Ｄ１１の信頼性を向上することができる。
【００４７】
なお、本発明に係る通信装置、通信システム及びコンピュータプログラムは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４８】
本発明に係る通信システム１においては、宛先書込部２ｄは、データ記憶部２ｃに記憶される宛先の情報に基づいて、画像データに宛先の情報を書き込む、という構成でもよい。斯かる構成によれば、通信制御装置２は、受信した情報（例えば、ファックス番号）から、それに対応しているデータ記憶部２ｃの宛先の情報（例えば、名前と電子メールアドレス）を画像データにさらに追加して書き込む。
【００４９】
斯かる通信システム１を用いた通信について、以下、図７を参酌して説明する。なお、第１の送信源Ｘ１は、ファックス信号によるデータの送受信も可能であり、また、電子メールによるデータの送受信も可能とする。
【００５０】
図７に示すように、第１の送信源Ｘ１は、画像データＤ３０を、ファックス信号にて通信制御装置２へ送信する。画像データＤ３０を受信した通信制御装置２は、通信キャリアＸ３からの情報に基づいて、画像データＤ３０に宛先情報Ｄ３１を書き込む。このとき、通信制御装置２は、通信キャリアＸ３から受信したファックス番号だけでなく、データ記憶部２ｃに記憶されている宛先の名前と電子メールアドレスも、宛先情報Ｄ３１として画像データＤ３０に併せて書き込む。
【００５１】
通信制御装置２が、画像データＤ３０及び宛先情報Ｄ３１を含むファイルＦ３０を、電子メールにて通信装置４に送信することにより、通信装置４は、ファイルＦ３０を受信する。そして、ユーザが、画像データＤ３０を編集することにより、通信装置４は、編集後の画像データＤ３２及び宛先情報Ｄ３１を含むファイルＦ３１を記憶する。
【００５２】
その後、ユーザが、画像指定部４３ａで当該画像データＤ３２を指定し、返信指示部４３ｅで返信の指示をする。これにより、通信装置４は、当該画像データＤ３２に含まれる宛先情報Ｄ３１に基づいて、指定された画像データＤ３２を、電子メールにて第１の送信源Ｘ１に返信する。このように、ファックス信号で受信した画像を電子メールにて送信することもできる。
【００５３】
また、本発明に係る通信装置４は、画像データを返信する際に、ユーザに、画像指定部４３ａで画像データの指定を先に入力されてもよく、また、返信指示部４３ｅで返信の指示を先に入力されてもよい。斯かる入力される順番は、限定されない。
【００５４】
また、上記実施形態に係る通信システム１においては、宛先書込部２ｄは、送信元の情報を宛先の情報として、画像データに書き込む、という構成である。しかしながら、本発明に係る通信システム１は、斯かる構成に限れない。例えば、本発明に係る通信システム１は、宛先書込部２ｄは、送信元の情報ではなく、予め定められた宛先の情報を画像データに書き込む、という構成でもよい。
【００５５】
また、上記実施形態に係るコンピュータプログラム４２ｂは、通信装置４の記憶部４２に格納されている。しかしながら、本発明に係るコンピュータプログラム４２ｂａは、斯かる構成に限られない。例えば、本発明に係るコンピュータプログラム４２ｂａは、例えばＣＤ又はＤＶＤ等の持ち運び可能（移動可能）で且つコンピュータで読み込み可能な記録媒体に格納されていてもよい。
【符号の説明】
【００５６】
１…通信システム、２…通信制御装置、２ａ…データ受信部、２ｂ…データ送信部、２ｃ…データ記憶部、２ｄ…宛先書込部、２ｅ…原稿読取部、２ｆ…画像形成部、３…記憶装置、４…通信装置、５…通信網、４１…受信部、４２…記憶部、４２ａ…画像記憶部、４２ｂ…コンピュータプログラム、４３…入力部、４３ａ…画像指定部、４３ｂ…画像編集部、４３ｃ…宛先入力部、４３ｄ…転送指示部、４３ｅ…返信指示部、４４…制御部、４４ａ…入力検出部、４４ｂ…データ編集部、４４ｃ…表示制御部、４５…表示部、４６…送信部、４６ａ…画像転送部、４６ｂ…画像返信部、Ｘ１…第１の送信源、Ｘ２…第２の送信源、Ｘ３…通信キャリア
【図１】
2014107681.tif 000003
【図２】
2014107681.tif 000004
【図３】
2014107681.tif 000005
【図４】
2014107681.tif 000006
【図５】
2014107681.tif 000007
【図６】
2014107681.tif 000008
【図７】
2014107681.tif 000009